(57)【要約】【課題】  チョークコイルと接続する回路基板の配線パターンの接続部間に発生する浮遊容量を低減させてノイズを効果的に除去することができるラインフィルタ回路を備えた回路基板を提供する。【解決手段】  チョークコイル１１の各端子１５ａ〜１５ｄを接続する各ラインＬ１，Ｌ２の接続部１６ａ〜１６ｄの間隔Ｗ１を５ｍｍ以上とするとともに、接続部１６ａ〜１６ｄ幅Ｗを４ｍｍ以下に設定する。各ラインＬ１，Ｌ２の接続部１６ａ〜１６ｄに、幅Ｗ２が１ｍｍ以上で長さＳが１７ｍｍ以上のスリット１７を形成する。これにより、接続部１６ａ，１６ｂと接続部１６ｃ，１６ｄとの間に生じる浮遊容量を減少し、ノイズ除去効果を高めることができる。【選択図】      図１
2005218030.tif 000002
【特許請求の範囲】
【請求項１】
回路基板にラインフィルタ回路の配線パターンを形成し、前記ラインフィルタ回路のラインに形成される接続部に前記ラインフィルタを構成するチョークコイルの端子を接続したラインフィルタを備えた回路基板において、前記接続部を離間して形成するとともに、これら接続部の間にスリットを形成したことを特徴とするラインフィルタ回路を備えた回路基板。
【請求項２】
前記接続部の間隔が５ｍｍ以上であることを特徴とする請求項１記載のラインフィルタ回路を備えた回路基板。
【請求項３】
前記スリットは、長さが１７ｍｍ以上、幅が１ｍｍ以上であることを特徴とする請求項１又は２記載のラインフィルタ回路を備えた回路基板。
【請求項４】
前記接続部の幅が４ｍｍ以下であることを特徴とする請求項１〜３のいずれか１項に記載のラインフィルタ回路を備えた回路基板。
【発明の詳細な説明】
【技術分野】
【０００１】
本発明は、ノイズを除去するラインフィルタ回路を備えた回路基板、特にラインフィルタ回路における浮遊容量が低減されるラインフィルタ回路を備えた回路基板に関する。
【背景技術】
【０００２】
従来、各種電子機器の発達により、これら電子機器を動作活用中に、その電子機器の動作電源ラインから各種妨害が発生し、その妨害が他の電子機器に対して影響し、電子機器の誤動作の要因となっている。これら妨害を防止するため、国内においては、電気用品取締法により、各種電子機器ごとにその妨害の発生の抑制と、妨害の除去が実施されている。
【０００３】
これら電源ラインに生ずる妨害を除去する方法としては、例えば、特許文献１で示すように電子機器の電源回路内に電源ラインフィルタを用いることが一般的であり、このように、電子機器ごとに発生する妨害周波数を除去するようにしている。すなわち、図３に示すように、ラインフィルタＬのラインＬ１とラインＬ２の間には、ノーマルモードノイズを低減するためのコンデンサＣＸ１，ＣＸ２が並列に接続されている。これらコンデンサＣＸ１，ＣＸ２の間には、コモンモードノイズを低減するためのコモンモードチョークコイルＬが接続されている。また、コンデンサＣＸ２の次段には、コモンモードノイズを低減するための２個のコンデンサＣｙ１，Ｃｙ２が、互いに直列に、かつコンデンサＣＸ２と並列となるように接続され、コモンモードチョークコイルＬとコンデンサＣＸ１，ＣＸ２の構成で、コモンモードノイズを低減させ、コンデンサＣｙ１，Ｃｙ２でノーマルモードノイズを低減させている。そして、これらのコモンモードチョークコイルＬ、コンデンサＣＸ１，ＣＸ２，Ｃｙ１，Ｃｙ２は、回路基板に実装され、回路基板には、ラインフィルタ回路となる配線パターンが形成されており、該配線パターンに前記コモンモードチョークコイルＬ、ＣＸ１，ＣＸ２，Ｃｙ１，Ｃｙ２を半田付けして接続するようにしている。
【０００４】
【特許文献１】特開平１０−３０３６７４号公報
【発明の開示】
【発明が解決しようとする課題】
【０００５】
ところで、コモンモードチョークコイルＬは、２組のコイルＫ１、Ｋ２を備え、このコイルＫ１、Ｋ２の端子ａ〜ｄを配線パターンＰのラインＬ１，Ｌ２に形成される接続部Ｓ１〜Ｓ４に夫々半田付けして接続するものであるが、従来、回路基板に形成された各ラインＬ１，Ｌ２の接続部Ｓ１，Ｓ２及びライン接続部Ｓ３，Ｓ４の間隔は極めて狭く設定されている。このため、各ラインＬ１，Ｌ２の接続部Ｓ１，Ｓ２及び接続部Ｓ３，Ｓ４間に浮遊容量が発生し、この結果、図４に示すように各ラインＬ１，Ｌ２のそれぞれの接続部Ｓ１，Ｓ２及び接続部Ｓ３，Ｓ４間に仮想的にコンデンサＣが挿入された状態と同等となるため、効果的にノイズを除去することができない、といった課題を有していた。
【０００６】
本発明は、上記課題に鑑みてなされたもので、チョークコイルと接続する回路基板の配線パターンの接続部間に発生する浮遊容量を低減させてノイズを効果的に除去することができるラインフィルタ回路を備えた回路基板を提供することを目的とする。
【課題を解決するための手段】
【０００７】
本発明の請求項１のラインフィルタ回路を備えた回路基板は、回路基板にラインフィルタ回路の配線パターンを形成し、前記ラインフィルタ回路のラインに形成される接続部に前記ラインフィルタを構成するチョークコイルの端子を接続したラインフィルタを備えた回路基板において、前記接続部を離間して形成するとともに、これら接続部の間にスリットを形成したことを特徴とする。
【０００８】
請求項１の構成により、接続部の間にスリットを形成することにより空間ができ、接続部間に生じる浮遊容量をスリットから逃がしたり発生しにくくすることができるから、浮遊容量が低減される。
【０００９】
本発明の請求項２のラインフィルタ回路を備えた回路基板は、請求項１記載のラインフィルタ回路を備えた回路基板において、前記接続部の間隔が５ｍｍ以上であることを特徴とする。
【００１０】
請求項２の構成により、接続部の間隔を５ｍｍ以上離すことによって、接続部間に生じる浮遊容量が低減される。
【００１１】
本発明の請求項３のラインフィルタ回路を備えた回路基板は、請求項１又は２記載のラインフィルタ回路を備えた回路基板において、前記スリットは、長さが１７ｍｍ以上、幅が１ｍｍ以上であることを特徴とする。
【００１２】
請求項３の構成により、接続部の間隔を可及的に離すことができるとともに、浮遊容量を逃がすのに十分な大きさのスリットを回路基板に形成することができる。
【００１３】
本発明の請求項４のラインフィルタ回路を備えた回路基板は、請求項１〜３のいずれか１項に記載のラインフィルタ回路を備えた回路基板において、前記接続部の幅が４ｍｍ以下であることを特徴とする。
【００１４】
請求項４の構成により、接続部の表面積を少なく抑えることにより、より浮遊容量が低減される。
【発明の効果】
【００１５】
本発明の請求項１のラインフィルタ回路を備えた回路基板によれば、回路基板にラインフィルタ回路の配線パターンを形成し、前記ラインフィルタ回路のラインに形成される接続部に前記ラインフィルタを構成するチョークコイルの端子を接続したラインフィルタを備えた回路基板において、前記接続部を離間して形成するとともに、これら接続部の間にスリットを形成したことにより、チョークコイルが接続される接続部の間に生じる浮遊容量を減少することができるとともに、スリットから浮遊容量を逃がしたり発生しにくくすることができるから、接続部の間に生じる浮遊容量を減少することができ、浮遊容量の減少によるノイズ除去効果が向上する。しかも、浮遊容量除去用の対策部品を追加することなく、単に回路基板にスリットを形成するだけで、浮遊容量を減少することができるから、部品点数の増加を招く心配もなく、コスト低減にも寄与できる。
【００１６】
本発明の請求項２のラインフィルタ回路を備えた回路基板によれば、請求項１記載のラインフィルタ回路を備えた回路基板において、前記接続部の間隔が５ｍｍ以上であるから、接続部の間隔を５ｍｍ以上離すことで確実に接続部間に生じる浮遊容量が低減することができる。
【００１７】
本発明の請求項３のラインフィルタ回路を備えた回路基板によれば、請求項１又は２記載のラインフィルタ回路を備えた回路基板において、前記スリットは、長さが１７ｍｍ以上、幅が１ｍｍ以上であるから、浮遊容量を逃がすのに十分な大きさのスリットを回路基板に形成することができる。
【００１８】
本発明の請求項４のラインフィルタ回路を備えた回路基板によれば、請求項１〜３のいずれか１項に記載のラインフィルタ回路を備えた回路基板において、前記接続部の幅が４ｍｍ以下であるから、接続部の表面積を少なく抑えることによって、より浮遊容量を低減することができ、ノイズ除去効果を高めることができる。
【発明を実施するための最良の形態】
【００１９】
以下、添付図面を参酌しながら、本発明を実施するための最良の形態としての実施例を説明する。なお、本実施例におけるラインフィル回路は、図３に示す従来のラインフィル回路と実質同一であり、ラインフィル回路については、図４と重複する部分には同一符号を付して説明する。図４に示すように、ラインフィルタＬのラインＬ１とラインＬ２の間には、ノーマルモードノイズを低減するためのコンデンサＣＸ１，ＣＸ２が並列に接続されている。これらコンデンサＣＸ１，ＣＸ２の間には、コモンモードノイズを低減するためのコモンモードチョークコイルＬが接続されている。また、コンデンサＣＸ２の次段には、コモンモードノイズを低減するための２個のコンデンサＣｙ１，Ｃｙ２が、互いに直列に、かつコンデンサＣＸ２と並列となるように接続されている。
【００２０】
１０は、回路基板であり、この回路基板１０には前記ラインフィルタ回路のラインＬ１とラインＬ２を含む配線パターン１０Ａが形成されている。また、前記ラインフィルタＬを構成する前記チョークコイル１１は、２組の巻線１３，１４を備え、この巻線１３，１４の各端子１５ａ〜１５ｄが前記各ラインＬ１，Ｌ２に形成された接続部１６ａ〜１６ｄに夫々半田付けよって接続されている。この各ラインＬ１，Ｌ２に形成される接続部１６ａ〜１６ｄの幅Ｗは、４ｍｍ以下に設定され、各ラインＬ１，Ｌ２の配線パターン１０Ａより細く形成されている。すなわち、接続部１６ａ〜１６ｄの幅Ｗは、前記チョークコイル１１の各端子１５ａ〜１５ｄが半田付けできる最小の幅に設定されている。また、各ラインＬ１，Ｌ２における接続部１６ａ，１６ｂと接続部１６ｃ，１６ｄは、それぞれ互い離間して形成されているが、その間隔Ｗ１は、チョークコイル１１のサイズによってある程度、決定されるものの、５ｍｍ以上に設定されている。また、これらラインＬ１，Ｌ２の接続部１６ａ，１６ｂ及び接続部１６ｃ，１６ｄの間にはスリット１７が形成されている。このスリット１７は、幅Ｗ２が１ｍｍ以上に設定され、かつ、長さＳは１７ｍｍ以上に設定されている。
【００２１】
以上のように本実施例においては、各ラインＬ１，Ｌ２における接続部１６ａ，１６ｂと接続部１６ｃ，１６ｄとの間に跨る幅Ｗ２が１ｍｍ以上に設定されたスリット１７を形成することにより、各ラインＬ１，Ｌ２における接続部１６ａ，１６ｂと接続部１６ｃ，１６ｄとの間隔Ｗ１を可及的に離すことができる。このように、接続部１６ａ，１６ｂと接続部１６ｃ，１６ｄとの間にスリット１７により空間を形成し、各ラインＬ１，Ｌ２における接続部１６ａ，１６ｂと接続部１６ｃ，１６ｄとの間隔Ｗ１を５ｍｍ以上とすることによって、前記チョークコイル１１が接続される接続部１６ａ，１６ｂと接続部１６ｃ，１６ｄとの間に生じる浮遊容量を減少することができる。しかも、スリット１７から浮遊容量を逃がしたり発生しにくくすることができるから、前記チョークコイル１１が接続される接続部１６ａ，１６ｂと接続部１６ｃ，１６ｄとの間に生じる浮遊容量をより効果的に減少することができる。また、この実施例では、前記チョークコイル１１が接続される接続部１６ａ，１６ｂと接続部１６ｃ，１６ｄの幅Ｗを４ｍｍ以下に形成することで、各接続部１６ａ〜１６ｄの表面積を小さくすることができるので、更に接続部１６ａ，１６ｂと接続部１６ｃ，１６ｄとの間に生じる浮遊容量を減少することができる。すなわち、接続部１６ａ，１６ｂと接続部１６ｃ，１６ｄの間に生じる浮遊容量は、接続部１６ａ，１６ｂと接続部１６ｃ，１６ｄの間隔Ｗ１に比例、各接続部１６ａ〜１６ｄの面積に反比例することから、接続部１６ａ，１６ｂと接続部１６ｃ，１６ｄとの間隔Ｗ１を可及的に広く設定するとともに、接続部１６ａ，１６ｂと接続部１６ｃ，１６ｄの面積を小さくすることは、浮遊容量の減少に極めて有効であり、浮遊容量の減少によりノイズ除去効果をより向上することができる。しかも、本実施例においては、浮遊容量除去用の対策部品を追加することなく、単に回路基板１０にスリット１７を形成するだけ済むから、部品点数の増加を招く心配もなく、コスト低減にも寄与できる。
【００２２】
以上、本実施例を詳述したが、本発明は、前記実施例に限定されるものではなく、本発明の要旨の範囲内で種々の変形実施が可能である。例えば、ラインフィルタの回路構成あるいはスリットの形状は前記実施例に限定されるものではなく、適宜選定すればよい。
【図面の簡単な説明】
【００２３】
【図１】本発明の一実施例を示すチョークコイルを接続した状態の説明図である。
【図２】同上、回路基板にチョークコイルを接続した状態を示す断面図である。
【図３】従来のラインフィルタ回路を示す回路図である。
【図４】同上、パターンによる浮遊容量を示す説明図である。
【符号の説明】
【００２４】
１０  回路基板
１０Ａ  配線パターン
１３，１４  巻線
１１  チョークコイル
１５ａ〜１５ｄ  端子
１６ａ〜１６ｄ  接続部
Ｗ  接続部の幅
Ｗ１  接続部の間隔
Ｗ２  スリットの幅
Ｓ  スリットの長さ
【図１】
2005218030.tif 000003
【図２】
2005218030.tif 000004
【図３】
2005218030.tif 000005
【図４】
2005218030.tif 000006